(57)【要約】【課題】  ストラップを簡単に装着可能なストラップ装着部を提供する。【解決手段】  輪状となっているストラップ２０の一端部２０ａにストラップ装着部７の突出部１０をくぐらせ、この状態でストラップ２０の反一端部２０ａ側を引っ張る。突出部１０の下筐体２との間の接続部１４は、該突出部１０のストラップ止めアーム部１３の幅よりも小さい幅となっている。このため、上記引っ張られたストラップ２０の一端部２０ａが、上記接続部１４の位置まで移動して該接続部１４に引っ掛かる状態で、ストラップがストラップ装着部７に装着される。この状態では、一端部２０ａの径が接続部１４の径と略々同じ大きさまで窄められ、該一端部２０ａが突出部１０の左右に張り出した各ストラップ止めアーム部１３に引っ掛かる状態となるため、ストラップ２０がストラップ装着部７から簡単には外れ難くなる。【選択図】  図２
2008048296.tif 000002
【特許請求の範囲】
【請求項１】
筐体との接続方向に対して略直交方向に張り出した一対のアーム部と、上記筐体に対して接続を図るための接続部とを備えた突出部を有し、
上記突出部は、上記アーム部の全体的な幅に対して上記接続部の幅の方が狭くなるように成形されていること
を特徴とするストラップ装着装置。
【請求項２】
請求項１に記載のストラップ装着装置であって、
ストラップの輪状とされた一端部に上記突出部をくぐらせた状態で、反突出部側の上記一端部を筐体外に引き出すための引き出し用孔部を有すること
を特徴とするストラップ装着装置。
【請求項３】
請求項２に記載のストラップ装着装置であって、
上記突出部は、上記筐体に装着した蓋部により、当該突出部全体が被覆される上記筐体上の位置に設けられていること
を特徴とするストラップ装着装置。
【請求項４】
請求項３に記載のストラップ装着装置であって、
上記突出部の各アーム部とそれぞれ相対する壁部を有し、
上記各アーム部は、該各アーム部と上記壁部との間に所定の間隙部を形成するように、上記突出部の接続部側から反接続部側にかけて徐々に窄まる形状にそれぞれ加工されていること
を特徴とするストラップ装着装置。
【請求項５】
請求項４に記載のストラップ装着装置であって、
上記壁部は、該筐体の上面部側から該筐体の厚さ方向に沿って徐々に径が小さくなるようにテーパ状に切り欠き加工されていること
を特徴とするストラップ装着装置。
【請求項６】
筐体との接続方向に対して略直交方向に張り出した一対のアーム部と、上記筐体に対して接続を図るための接続部とを備え、上記アーム部の全体的な幅に対して上記接続部の幅の方が狭くなるように成形された突出部を上記筐体に設け、
ストラップの輪状とされた一端部に上記突出部をくぐらせた状態で、ストラップを反突出部側に引っ張ることで、上記ストラップの一端部を上記突出部の接続部まで誘導し、上記筐体に対して上記ストラップを装着すること
を特徴とするストラップ装着方法。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、デジタルカメラ装置、ビデオカメラ装置、携帯ゲーム機等の携帯機器に適用して好適なストラップ装着装置、及びストラップ装着方法に関する。
【背景技術】
【０００２】
特開２００５−３１２５０号の公開特許公報（特許文献１）に、ストラップ装着部材の取り付けが簡単で、かつ、組み付け工数を減らすことを目的としたストラップ装着部材の取付構造が開示されている。
【０００３】
このストラップ装着部材の取付構造の場合、ストラップ装着部材に設けられた突起部を第１ケースの挿通孔に挿通させる。そして、第１ケース及び第２ケースを互いに嵌め合わせて接合する際における、他方のケースに対する一方のケースへの相対的な移動に伴って、上記第１ケースの挿通孔に挿通させた突起部を、第２ケースに設けられた係止部材により係止するようになっている。
【０００４】
また、特開２００５−２１７４６５号の公開特許公報（特許文献２）に、設計の自由度を大きく妨げることなく、かつ、特別な部品の追加を必要とせずに、簡単な構成によって外観の向上に寄与することを目的とした携帯端末が開示されている。
【０００５】
この携帯端末は、ストラップを取り付けるための通し穴の壁面にネジ穴を有しており、上下の筐体をネジ止めする際に該ネジ穴にネジを螺号させると、このネジの頭が、上記ストラップを取り付けるための通し穴内に位置するようになる。このため、この締結されたストラップにより上記通し穴内に位置するネジの頭を隠すことができ、該ネジの頭を携帯端末の外観上、見えにくくすることができるようになっている。
【０００６】
【特許文献１】特開２００５−３１２５０号公報（第６頁：図３）
【特許文献２】特開２００５−２１７４６５号公報（第３頁〜第４頁：図１、図２）
【発明の開示】
【発明が解決しようとする課題】
【０００７】
しかし、上述の特許文献１に開示されているストラップ装着部材の取付構造は、機器にストラップを装着可能とするために、該機器に上記ストラップ装着部材という特別な部品を必要とする問題がある。また、上記ストラップ装着部材は、その一部が機器から突出して設けられるため、当該機器の外観を損なううえ、機器の設計の自由度を妨げる問題がある。
【０００８】
また、ストラップを装着する際には、上記ストラップ装着部材に設けられている装着用孔に対してストラップの一端部を挿入し、この装着用孔に挿入して引き出したストラップの輪の中に、当該ストラップの他端部をくぐらせて該他端部を引っ張ることで、ストラップ装着部材にストラップを締結するようになっている。このため、ストラップの装着に面倒な手間がかかる問題がある。
【０００９】
また、上述の特許文献２に開示されている携帯端末の場合も同様の問題を有しており、携端末の筐体にストラップを装着するための通し孔を設けることで当該機器の外観を損なううえ、機器の設計の自由度が妨げられる問題がある。また、通し孔に対してストラップを装着する際には、この通し孔にストラップの一端部を挿入し、この通し孔に挿入して引き出したストラップの輪の中に、当該ストラップの他端部をくぐらせて該他端部を引っ張ることで、通し孔にストラップを締結するようになっている。このため、やはりストラップの装着に面倒な手間がかかる問題がある。
【００１０】
本発明は上述の課題に鑑みてなされたものであり、特別な部品を必要とすることなく、携帯機器に対するストラップの着脱を簡単に行うことができ、装着後は携帯機器と強固に締結させることができ、また、ストラップの装着部を外観上、目立たせることなく、携帯機器の意匠面の向上及び携帯機器の設計の自由度を妨げる不都合を防止することができるようなストラップ装着装置、及びストラップ装着方法の提供を目的とする。
【課題を解決するための手段】
【００１１】
本発明に係るストラップ装着装置は、上述の課題を解決するための手段として、
筐体との接続方向に対して略直交方向に張り出した一対のアーム部と、上記筐体に対して接続を図るための接続部とを備え、上記アーム部の全体的な幅に対して上記接続部の幅の方が狭くなるように成形された突出部を有する。
【００１２】
このような本発明は、ストラップの輪状とされた一端部に上記突出部をくぐらせた状態で、ストラップを反突出部側に引っ張ることで、上記ストラップの一端部を上記突出部の接続部まで誘導し、上記筐体に対する上記ストラップの装着の簡素化を図る。
【発明の効果】
【００１３】
本発明は、特別な部品を必要とすることなく、携帯機器に対するストラップの着脱を簡単に行うことができる。また、装着後は携帯機器と強固に締結させることができる。また、ストラップの装着部を外観上、目立たせることないため、携帯機器の意匠面の向上及び携帯機器の設計の自由度を妨げる不都合を防止することができる。
【発明を実施するための最良の形態】
【００１４】
本発明は、携帯電話機のストラップ装着部に適用することができる。
【００１５】
［ストラップ装着部の構成］
まず、図１及び図２に、本発明の実施の形態となるストラップ装着部を設けた携帯電話機の要部の斜視図を示す。一例ではあるが、この携帯電話機は、液晶表示部が設けられる上筐体１の及びキー操作部が設けられる下筐体２の各一端部同士を、ヒンジ部を介して回動可能に接続した、いわゆる折り畳み型の携帯電話機となっている。
【００１６】
図１は、当該携帯電話機を折り畳んだ状態で、電池収納部を覆う裏蓋３側から反ヒンジ部側の端部を見た斜視図となっている。また、図２は、折り畳まれた当該携帯電話機を、二次電池４を収納する電池収納部５を覆う裏蓋３を取り外した状態で、反ヒンジ部側の端部を見た斜視図となっている。この図１及び図２からわかるように、下筐体２の反ヒンジ部側の端部には、二次電池４を充電する際に充電器のコネクタヘッドが接続される接続端子６が設けられている。また、図２に示すように下筐体２には、裏蓋３を取り外した状態で露出するストラップ装着部７が設けられている。
【００１７】
図３及び図４に、ストラップ装着部７を拡大した斜視図を示す。このストラップ装着部７は、例えばＡＢＳ樹脂（ACRYLONITRILE（アクロル二トリル）、BUTADIENE（ブタジエン）、STYRENE（スチレン）樹脂）等の部材により、下筐体１と一体成形されており、図３に示すように、下筐体２から裏蓋３側にかけて突出するかたちで設けられた二股状の突出部１０と、この突出部１０に引っ掛けられたストラップを、下筐体２外に引き出すための引き出し用孔部１１を有している。この引き出し用孔部１１の幅は、当該引き出し用孔部１１から引き出されるストラップの幅と略々同じ幅となっている。
【００１８】
また、ストラップ装着部７は、図４に示すように輪状になっているストラップの端部に突出部１０をくぐらせる際に、該ストラップの端部を突出部１０にくぐらせ易いように、所定の曲率に加工された（＝ストラップの端部の曲率に対応する曲率に加工された）Ｒ加工壁部１２を有している。また、Ｒ加工壁部１２は、下筐体２の厚さ方向に沿って徐々に外径が小さくなるようにテーパ加工が施されており、輪状になっているストラップの端部を、ストラップ装着部７に抵抗無く導引するようになっている。
【００１９】
突出部１０は、図４に示すように左右に張り出した一対のストラップ止めアーム部１３を有している。この突出部１０の下筐体２との接続部１４は、図３中、矢印で示すように、ストラップ止めアーム部１３の幅よりも小さい幅となっている。
【００２０】
さらに図５に、このストラップ装着部７の正面を、やや上方向から見た斜視図を示す。この図５からわかるように、突出部１０の各ストラップ止めアーム部１３は、接続部１４側から反接続部１４側にかけて徐々に窄ませた形状となっており、これにより、Ｒ加工壁部１２との間に、図５中、点線で示す逆三角形状の間隙部１６をそれぞれ形成するようになっている。
【００２１】
［ストラップ装着までの工程］
次に、このようなストラップ装着部７にストラップを装着する場合、まず、図１に示す下筐体２から裏蓋３を取り外す。これにより、図２に示すようにストラップ装着部７が露出することとなる。
【００２２】
次に、図２及び図４に示すように、ストラップ装着部７の突出部１０に、輪状となっているストラップ２０の一端部２０ａをくぐらせる。この際、ストラップ装着部７のＲ加工壁部１２は、下筐体２の厚さ方向に沿って徐々に外径が小さくなるようにテーパ加工が施されており、また、突出部１０の各ストラップ止めアーム部１３とＲ加工壁部１２との間には、図５中、点線で示した逆三角形状の間隙部１６が設けられている。さらに、突出部１０の各ストラップ止めアーム部１３は、接続部１４側から反接続部１４側にかけて徐々に窄ませた形状となっている。このため、輪状となっているストラップ２０の一端部２０ａが、突出部１０とＲ加工壁部１２との間にスムーズに導かれるようになり、該一端部２０ａを突出部１０に対して抵抗無く、くぐらせることができる。
【００２３】
次に、このように輪状となっているストラップ２０の一端部２０ａに突出部１０をくぐらせた状態で、図４中、矢印で示す反ヒンジ部方向にストラップを引っ張る。図３を用いて説明したように、突出部１０の下筐体２との接続部１４は、ストラップ止めアーム部１３の幅よりも小さい幅となっている。このため、輪状となっているストラップ２０の一端部２０ａに突出部１０をくぐらせた状態で、ストラップ２０を上記反ヒンジ部方向に引っ張ると、ストラップ２０の一端部２０ａが、図５に示すように突出部１０の接続部１４の位置まで移動し、該一端部２０ａが突出部１０の接続部１４に引っ掛かる。また、この接続部１４にストラップ２０の一端部２０ａが引っ掛かった状態で該ストラップ２０を上記反ヒンジ部方向にさらに引っ張ることで該一端部２０ａが楕円形状となり、該ストラップ２０の一端部２０ａがストラップ装着部７の引き出し用孔部１１から引き出された状態となる。
【００２４】
この状態となると、ストラップ２０の一端部２０ａの径が、突出部１０の接続部１４の径と略々同じ大きさまで窄められた状態となるため、ストラップ２０を下筐体２の反厚さ方向（＝突出部１０の突出方向）に引っ張っても、ストラップ２０の一端部２０ａが突出部１０の左右に張り出した各ストラップ止めアーム部１３に引っ掛かるようになり、通常のストラップ２０の動きでは、該ストラップ２０がストラップ装着部７から簡単には外れないようになる。
【００２５】
次に、ストラップ装着部７にストラップ２０を装着した状態で、図１に示すように下筐体２に裏蓋３を装着する。これにより、ストラップ装着部７の引き出し用孔部１１からストラップ２０の一端部２０ａが引き出された状態で当該ストラップ装着部７が裏蓋３により被覆され、当該携帯電話機の外観上視認できない状態となる。
【００２６】
また、上述のように、引き出し用孔部１１の幅は、当該引き出し用孔部１１から引き出されるストラップ２０の幅と略々同じ幅となっている。このため、引き出し用孔部１１からストラップ２０の一端部２０ａが引き出された状態となると、この一端部２０ａにより引き出し用孔部１１が隠れるようになり、当該携帯電話機の外観上、引き出し用孔部１１が視認し難い状態となる。
【００２７】
ここで、このようにストラップ装着部７にストラップ２０を装着し、下筐体２に裏蓋３を装着した状態で、ストラップ２０を裏蓋３方向（＝下筐体２の反厚さ方向）に引っ張ると、ストラップ２０の一端部２０ａが裏蓋３に当接し、下筐体２から裏蓋３が外れ易くなることが懸念される。
【００２８】
しかし、この実施の形態のストラップ装着部７の場合、突出部１０の一対のストラップ止めアーム部１３により、装着されたストラップ２０の一端部２０ａを押さえつけている。このため、下筐体２に裏蓋３を装着した状態で、ストラップ装着部７に装着されたストラップ２０を上記裏蓋３方向に引っ張っても、裏蓋３に対してストラップ２０の一端部２０ａが極軽く当接するだけで、下筐体２から裏蓋３が外れ易くなることはない。
【００２９】
［ストラップの取り外し工程］
次に、このようにストラップ装着部７に装着されたストラップを取り外す場合、まず、図１に示す下筐体２から裏蓋３を取り外す。これにより、図２に示すようにストラップ装着部７が露出することとなる。
【００３０】
次に、図５に示したように突出部１０の接続部１４の径と略々同じ大きさまで窄められた状態となっているストラップ２０の一端部２０ａの径を、突出部１０のストラップ止めアーム部１３よりも大きな径まで広げ、ストラップ止めアーム部１３からストラップ２０の一端部２０ａを取り外す。これにより、ストラップ装着部７からストラップ２０を簡単に取り外すことができる。
【００３１】
［実施の形態の効果］
以上の説明から明らかなように、この実施の形態のストラップ装着部７は、輪状となっているストラップ２０の一端部２０ａを突出部１０にくぐらせ、ストラップ２０を反ヒンジ部方向に引っ張ることで、当該ストラップ装着部７に対してストラップ２０を、言わばワンタッチで簡単に装着することができる。
【００３２】
また、ストラップ装着部７は、下筐体２と一体成形することができるため、ストラップ装着部７用の特別な部品を用いることなく実現することができる。
【００３３】
また、装着されたストラップ２０は、当該ストラップ２０を上記反ヒンジ部方向に引っ張ることで、一端部２０ａの径が突出部１０の接続部１４の径と略々同じ大きさまで窄められた状態となるため、ストラップ２０を下筐体２の反厚さ方向（＝突出部１０の突出方向）に引っ張っても、ストラップ２０の一端部２０ａが突出部１０の左右に張り出した各ストラップ止めアーム部１３に引っ掛かるようになり、該ストラップ２０をストラップ装着部７に対して強固に固定することができる。
【００３４】
また、下筐体２に裏蓋３を装着すると、ストラップ装着部７の略々全体が被覆され、該ストラップ装着部７を当該携帯電話機の外観上からは視認できない状態となるうえ、引き出し用孔部１１の幅は、当該引き出し用孔部１１から引き出されるストラップ２０の一端部２０ａの幅と略々同じ幅となっているため、この一端部２０ａにより引き出し用孔部１１が隠れるようになり、この引き出し用孔部１１も当該携帯電話機の外観上から視認し難い状態となる。このようにストラップの装着部７を携帯電話機の外観上、目立たせることがないため、当該携帯電話機の意匠面の向上を図ることができる。また、ストラップ装着部７が当該携帯電話機の設計の自由度を妨げる不都合を防止することができる。
【００３５】
また、ストラップ装着部７に装着されたストラップ２０を取り外す際は、突出部１０の接続部１４の径と略々同じ大きさまで窄められた状態となっているストラップ２０の一端部２０ａの径を、突出部１０のストラップ止めアーム部１３よりも大きな径まで広げ、ストラップ止めアーム部１３からストラップ２０の一端部２０ａを取り外す。この場合も、言わばワンタッチで簡単にストラップ装着部７からストラップ２０を取り外すことができる。
【００３６】
なお、今日におけるストラップ装着部の強度規格としては、ストラップ装着部に装着されたストラップを１５０Ｎの力で１分間引っ張っても該ストラップ装着部が破壊されない強度を維持することが求められている。本件出願人が、このストラップ装着部７を試作実験したところ、この強度規格を充分に満たす実験結果を得ることができたことを付け加えておく。
【００３７】
［変形例］
上述の実施の形態の説明では、本発明を携帯電話機のストラップ装着部に適用することとしたが、本発明を、ＰＨＳ電話機（PHS：Personal Handyphone System）、ＰＤＡ装置（PDA：Personal Digital Assistant）、デジタルカメラ装置、ビデオカメラ装置、携帯ゲーム機等の他の携帯機器のストラップ装着部に適用してもよい。この場合でも上述と同じ効果を得ることができる。
【００３８】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００３９】
【図１】本発明を適用した実施の形態となるストラップ装着部が設けられた携帯電話機の裏蓋を装着した状態の外観を示す斜視図である。
【図２】実施の形態のストラップ装着部が設けられた携帯電話機の裏蓋を取り外した状態の外観を示す斜視図である。
【図３】実施の形態のストラップ装着部を拡大して示す斜視図である。
【図４】実施の形態のストラップ装着部に対してストラップを装着する際に、ストラップの輪状の一端部にストラップ装着部の突出部をくぐらせた状態を示す斜視図である。
【図５】実施の形態のストラップ装着部の引き出し用孔部から、ストラップの一端部が引き出された状態を示す斜視図である。
【符号の説明】
【００４０】
１  上筐体、２  下筐体、３  下筐体の裏蓋、４  二次電池、５  二次電池の電池収納部、６  充電器のコネクタヘッドが接続される接続端子、７  ストラップ装着部、１０  ストラップ装着部の突出部、１１  ストラップ装着部のストラップの引き出し用孔部、１２  Ｒ加工壁部、１３  突出部のストラップ止めアーム部、１４  突出部と下筐体との接続部、１６  突出部とＲ加工壁部との間に形成される間隙部、２０  ストラップ、２０ａ  ストラップのストラップ装着部に装着される側の一端部
【図１】
2008048296.tif 000003
【図２】
2008048296.tif 000004
【図３】
2008048296.tif 000005
【図４】
2008048296.tif 000006
【図５】
2008048296.tif 000007